(57)【特許請求の範囲】
【請求項１】
複数の通信端末とサーバとが無線通信回線を介して接続されている無線通信システムにおいて、
前記サーバが、
いずれか１つの通信端末からのグループ通話開催要求を受け取り、その要求に記載されたすべての通信端末に対してグループ通話への参加を促す開催通知を送信し、その後、前記参加を促した各通信端末からの端末情報を受け取ることにより、前記グループ通話に参加するすべての通信端末を管理する参加端末管理手段と、
前記グループ通話に参加する各通信端末からの通話データを合成し、その合成データを前記各通信端末に配信する通話データ合成／配信手段と、
前記通話データを通話履歴として記録する通話履歴記録手段と、
を備え、
前記通信端末が、
通信データの送受信を制御し、さらに、グループ通話の開催を希望する場合に、無線通信回線を介して接続されたサーバに対してグループ通話開催要求を送信する送受信制御手段と、
前記サーバからの開催通知に応じてグループ通話へ参加する場合に、自端末情報を送信する自端末情報管理手段と、
を備え、
前記参加端末管理手段にあっては、
前記参加を促した通信端末が着信不可の場合、電子メールにて開催通知を送信し、
前記通信端末では、前記開催通知が電子メールの場合、前記グループ通話へ参加するための返信メールを送信し、電子メール以外の通常の開催通知を待つことを特徴とする無線通信システム。
【請求項２】
前記通信端末が返信メールを送信した時点で既にグループ通話が終了している場合、
前記通話履歴記録手段では、前記返信メールに対応するグループ通話の通話履歴を、返信メール送信元の通信端末に送信し、
前記通信端末では、通話履歴として得られる通話内容を、音声または文字情報でユーザに知らせることを特徴とする請求項１に記載の無線通信システム。
【請求項３】
前記通話履歴記録手段にあっては、
前記通信端末から履歴検索要求を受け取った場合に、その要求内容に基づいて所望の通話履歴を検索し、その検索結果を前記通信端末に返送し、
前記通信端末では、通話履歴として得られる通話内容を、音声または文字情報でユーザに知らせることを特徴とする請求項１または２に記載の無線通信システム。
【請求項４】
前記通信端末にあっては、
さらに、グループ通話の開催中に、参加者、開催時間、および通話内容を含む通話履歴を随時保存し、グループ通話終了後、前記保存した通話履歴をサーバに登録する通話履歴管理手段を備えることを特徴とする請求項１、２または３に記載の無線通信システム。
【請求項５】
前記通話履歴記録手段にあっては、
前記通信端末から複数のユーザが指定された履歴検索要求を受け取った場合に、その要求内容に基づいて所望の通話履歴を検索し、その検索結果を、前記複数のユーザが使用する通信端末に対して配信することを特徴とする請求項１〜４のいずれか一つに記載の無線通信システム。
【請求項６】
前記通話履歴記録手段にあっては、
前記通信端末からの退会要求を受け取った場合に、引き続き他の通信端末間で行われているグループ通話の内容を前記通話履歴記録手段に記録し、グループ通話終了後、前記退会要求内容に基づいて所望の通話履歴を検索し、その検索結果を、前記退会要求送信元の通信端末に返送することを特徴とする請求項１〜５のいずれか一つに記載の無線通信システム。
【請求項７】
前記参加端末管理手段にあっては、
グループ通話の開催中に途中参加要求を受け取った場合、または、開催中のグループ通話からの退会要求を受け取った場合、その要求を送信した通信端末に関するユーザ情報を、現在参加中のすべて通信端末に対して送信し、前記すべての通信端末から返送される情報を集計することにより、参加または退会の可否を決定することを特徴とする請求項１〜６のいずれか一つに記載の無線通信システム。
【請求項８】
グループ通話からの退会を希望するユーザが使用する通信端末にあっては、現在開催中のグループ通話が重要である場合、サーバからのメッセージに基づいて、誤って切断されることがないように、キーの長押し操作によりグループ通話から退会することを特徴とする請求項１〜７のいずれか一つに記載の無線通信システム。
【請求項９】
グループ通話に参加するユーザが使用する通信端末にあっては、所定のキー操作により、音声による入力と、文字による入力と、を切り替えて、通話を行うことを特徴とする請求項１〜８のいずれか一つに記載の無線通信システム。
【請求項１０】
グループ通話に接続中の通信端末が不正に切断された場合、その通信端末は、サーバからの再接続要求を着信することで、再びグループ通話に接続されることを特徴とする請求項１〜９のいずれか一つに記載の無線通信システム。
【請求項１１】
前記音声と文字のいずれの入力においてもグループ通話に参加できないユーザが使用する通信端末にあっては、受信のみのモードでグループ通話に参加することを特徴とする請求項９に記載の無線通信システム。
【請求項１２】
複数の通信端末が無線通信回線を介して接続されたサーバにおいて、
いずれか１つの通信端末からのグループ通話開催要求を受け取り、その要求に記載されたすべての通信端末に対してグループ通話への参加を促す開催通知を送信し、その後、前記参加を促した各通信端末からの端末情報を受け取ることにより、前記グループ通話に参加するすべての通信端末を管理する参加端末管理手段と、
前記グループ通話に参加する各通信端末からの通話データを合成し、その合成データを前記各通信端末に配信する通話データ合成／配信手段と、
前記通話データを通話履歴として記録する通話履歴記録手段と、
を備え、
前記参加端末管理手段にあっては、前記参加を促した通信端末が着信不可の場合、電子メールにて開催通知を送信し、
また、前記グループ通話の開催中に、いずれかの通信端末からグループ通話終了要求を受け取り、その後、前記グループ通話に関する終了履歴を記録した段階で、前記回線を切断することを特徴とするサーバ。
【請求項１３】
前記通話履歴記録手段にあっては、
前記通信端末からの返信メールを受け取った時点で既にグループ通話が終了している場合、前記返信メールに対応するグループ通話の通話履歴を、返信メール送信元の通信端末に送信することを特徴とする請求項１２に記載のサーバ。
【請求項１４】
前記通話履歴記録手段にあっては、
前記通信端末から履歴検索要求を受け取った場合に、その要求内容に基づいて所望の通話履歴を検索し、その検索結果を前記通信端末に返送することを特徴とする請求項１２または１３に記載のサーバ。
【請求項１５】
前記通話履歴記録手段にあっては、
前記通信端末から複数のユーザが指定された履歴検索要求を受け取った場合に、その要求内容に基づいて所望の通話履歴を検索し、その検索結果を、前記複数のユーザが使用する通信端末に対して配信することを特徴とする請求項１２、１３または１４に記載のサーバ。
【請求項１６】
前記通話履歴記録手段にあっては、
前記通信端末からの退会要求を受け取った場合に、引き続き他の通信端末間で行われているグループ通話の内容を前記通話履歴記録手段に記録し、グループ通話終了後、前記退会要求内容に基づいて所望の通話履歴を検索し、その検索結果を、前記退会要求送信元の通信端末に返送することを特徴とする請求項１２〜１５のいずれか一つに記載のサーバ。
【請求項１７】
前記参加端末管理手段にあっては、
グループ通話の開催中に途中参加要求を受け取った場合、または、開催中のグループ通話からの退会要求を受け取った場合、その要求を送信した通信端末に関するユーザ情報を、現在参加中のすべて通信端末に対して送信し、前記すべての通信端末から返送される情報を集計することにより、参加または退会の可否を決定することを特徴とする請求項１２〜１６のいずれか一つに記載のサーバ。
【請求項１８】
グループ通話における通信データの送受信を制御し、さらに、グループ通話の開催を希望する場合に、無線通信回線を介して接続されたサーバに対してグループ通話開催要求を送信する送受信制御手段と、
前記サーバからの開催通知に応じてグループ通話へ参加する場合に、自端末情報を送信する自端末情報管理手段と、
を備え、
前記送受信制御手段にあっては、
前記サーバからの開催通知が電子メールの場合、前記グループ通話へ参加するための返信メールを送信し、電子メール以外の通常の開催通知を待つことを特徴とする通信端末。
【請求項１９】
前記送受信制御手段にあっては、
通話履歴を検索する場合に、前記サーバに対して履歴検索要求を送信し、その後、通話履歴として得られる通話内容を、音声または文字情報でユーザに知らせることを特徴とする請求項１８に記載の通信端末。
【請求項２０】
さらに、前記グループ通話の開催中に、参加者、開催時間、および通話内容を含む通話履歴を随時保存し、グループ通話終了後、前記保存した通話履歴をサーバに登録する通話履歴管理手段を備えることを特徴とする請求項１８または１９に記載の通信端末。
【請求項２１】
前記送受信制御手段にあっては、
通話履歴の配信を希望する場合に、前記サーバに対して複数のユーザを指定した履歴検索要求を送信することを特徴とする請求項１８、１９または２０に記載の通信端末。
【請求項２２】
前記送受信制御手段にあっては、
前記グループ通話の退会を希望する場合に、前記サーバに対して退会要求を送信することを特徴とする請求項１８〜２１のいずれか一つに記載の通信端末。
【請求項２３】
複数の通信端末とサーバとが無線通信回線を介して接続された状態におけるグループ通話制御方法において、
前記サーバにあっては、
いずれか１つの通信端末からのグループ通話開催要求を受け取り、その要求に記載されたすべての通信端末に対してグループ通話への参加を促す開催通知を送信し、その後、前記参加を促した各通信端末からの端末情報を受け取ることにより、前記グループ通話に参加するすべての通信端末を管理する参加端末管理ステップと、
前記グループ通話に参加する各通信端末からの通話データを合成し、その合成データを前記各通信端末に配信する通話データ配信ステップと、
前記通話データを通話履歴として記録する通話履歴記録ステップと、
前記グループ通話の開催中に、いずれかの通信端末からグループ通話終了要求を受け取り、その後、前記グループ通話に関する終了履歴を記録した段階で、前記回線を切断するグループ通話終了ステップと、
を含み、
さらに、前記サーバにあっては、
前記開催通知の送信処理で着信不可の通信端末に対して、電子メールにて、再度、開催通知を送信するメール開催通知送信ステップ、
を含むことを特徴とするグループ通話制御方法。
【請求項２４】
さらに、前記サーバにあっては、
前記通信端末からの返信メールを受け取った時点で既にグループ通話が終了している場合、前記返信メールに対応するグループ通話の通話履歴を、返信メール送信元の通信端末に対して送信することを特徴とする請求項２３に記載のグループ通話制御方法。
【請求項２５】
さらに、前記サーバにあっては、
前記通信端末から履歴検索要求を受け取った場合に、その要求内容に基づいて所望の通話履歴を検索し、その検索結果を前記通信端末に返送する通信履歴検索ステップ、
を含むことを特徴とする請求項２３または２４に記載のグループ通話制御方法。
【請求項２６】
さらに、前記サーバにあっては、
前記通信端末から複数のユーザが指定された履歴検索要求を受け取った場合に、その要求内容に基づいて所望の通話履歴を検索し、その検索結果を、前記複数のユーザが使用する通信端末に対して配信する通信履歴配信ステップ、
を含むことを特徴とする請求項２３、２４または２５に記載のグループ通話制御方法。
【請求項２７】
さらに、前記サーバにあっては、
前記通信端末からの退会要求を受け取った場合に、引き続き他の通信端末間で行われているグループ通話の内容を前記通話履歴記録ステップにて記録し、グループ通話終了後、前記退会要求内容に基づいて所望の通話履歴を検索し、その検索結果を、前記退会要求送信元の通信端末に返送する通信履歴返送ステップ、
を含むことを特徴とする請求項２３〜２６のいずれか一つに記載のグループ通話制御方法。
【請求項２８】
さらに、前記サーバにあっては、
グループ通話の開催中に途中参加要求を受け取った場合、または、開催中のグループ通話からの退会要求を受け取った場合に、その要求を送信した通信端末に関するユーザ情報を、現在参加中のすべて通信端末に対して送信し、前記すべての通信端末から返送される情報を集計することにより、参加または退会の可否を決定する参加／退会可否決定ステップ、
を含むことを特徴とする請求項２３〜２７のいずれか一つに記載のグループ通話制御方法。
【発明の詳細な説明】
【０００１】
【発明の属する技術分野】
本発明は、複数の携帯電話などの通信端末が無線通信回線を介してサーバに接続された状態で、多人数の同時通信を実現可能な無線通信システムに関するものであり、特に、グループ通話を行う複数の人に対して所定の通話履歴情報を提供することにより、利便性の高い多人数通信コミュニケーションを実現する無線通信システム、およびその多人数通信方法に関するものである。
【０００２】
【従来の技術】
以下、グループ通話等の多人数による同時通信を行う従来の通信システムについて説明する。たとえば、このような従来の通信システムとしては、特開平９−５４７４１公報に記載された「ネットワークシステム及びそのセッション管理方法」がある。図１３は、上記従来の通信システムの構成を示す図である。ここでは、ネットワークシステムを用いて行われる会議等のセッションに、容易に参加できるようにすることで、システムの利用効率を向上させる。
【０００３】
図１３において、１０１は会議等のセッションに関するセッション情報を管理するコンピュータとして動作するセッションサーバであり、１０２はセッションを主催するマスタ（議長）コンピュータとして動作するマスタであり、１０３，１０４はセッションの参加者が操作するスレーブ（参加者）コンピュータとして動作するスレーブである。
【０００４】
つぎに、従来の通信システムの動作について説明する。上記のように構成される通信システムにおいて、セッションサーバ１０１では、セッションに参加する各ユーザ（マスタ、スレーブ）に対して、セッションに関するセッション情報として、たとえば、セッション名、そのセッションの参加者のユーザ名、ホスト名、共同で使用しているツール、等を提供する。そして、各ユーザは、そのセッション情報を、それぞれの画面上に表示する。これにより、各ユーザは、参加者のユーザ名や共有のツール名等を容易に確認することができる。
【０００５】
また、セッションサーバ１０１では、開催中のセッションに、途中から参加を希望するユーザ（スレーブ）に対して、セッション情報の一部を提供する。そして、新規に参加を希望するユーザは、受け取ったセッション情報の一部を画面上に表示し、参加希望のセッションを指定することで、そのセッションに参加する。これにより、新規に参加を希望するユーザは、開催中のセッションが参加を希望するセッションかどうかを容易に判断することができる。
【０００６】
また、マスタ１０２は、予め用意された処理で、自分が開催したセッションへの参加を認めないユーザ名を指定することができる。そのため、マスタ１０２では、途中参加を希望するユーザがいるような場合、そのユーザが参加可能なユーザかどうかを、前記指定情報に基づいて判定する。なお、上記とは逆に、予め指定したユーザの参加だけを認めることとしてもよい。このように、マスタ１０２では、参加者を限定したセッションを行うような場合においても、セッション参加の受付処理を効率的に行うことができる。
【０００７】
【発明が解決しようとする課題】
しかしながら、上記、従来の通信システムにおいては、セッションサーバが前述のセッション情報を提示するため、各ユーザが容易にそのセッションに参加できる一方、このとき、各ユーザが、参加時点までの通話内容を知ることができない、という問題があった。
【０００８】
また、従来の通信システムにおいては、通話情報を蓄積していないため、会議中や会議後における通話内容の検索および配布のような、効果的なサービスが行えない、という問題があった。
【０００９】
また、従来の通信システムは、ネットワーク接続されたコンピュータ間の通信に用いられるものであり、たとえば、無線通信にて多人数通話を行う方法については、提供されていない、という問題があった。
【００１０】
本発明は、上記に鑑みてなされたものであって、無線通信によるグループ通話を実現し、さらに、そのグループ通話への参加および退会の容易化を実現可能な無線通信システム、およびそのシステムを構成するサーバ、通信端末、ならびに多人数通信方法を得ることを目的とする。
【００１１】
【課題を解決するための手段】
上述した課題を解決し、目的を達成するために、本発明にかかる無線通信システムにあっては、複数の通信端末とサーバとが無線通信回線を介して接続され、さらに、前記サーバが、いずれか１つの通信端末からのグループ通話開催要求を受け取り、その要求に記載されたすべての通信端末に対してグループ通話への参加を促す開催通知を送信し、その後、前記参加を促した各通信端末からの端末情報を受け取ることにより、前記グループ通話に参加するすべての通信端末を管理する参加端末管理手段（後述する実施の形態の参加端末管理部２２に相当）と、前記グループ通話に参加する各通信端末からの通話データを合成し、その合成データを前記各通信端末に配信する通話データ合成／配信手段（通信データ合成部２３に相当）と、前記通話データを通話履歴として記録する通話履歴記録手段（通信履歴管理部２４に相当）と、を備え、前記通信端末が、通信データの送受信を制御し、さらに、グループ通話の開催を希望する場合に、無線通信回線を介して接続されたサーバに対してグループ通話開催要求を送信する送受信制御手段（送受信部１５、音声入出力部１３、入力部１１、表示部１２に相当）と、前記サーバからの開催通知に応じてグループ通話へ参加する場合に、自端末情報を送信する自端末情報管理手段（自端末情報管理部１４に相当）と、を備えることを特徴とする。
【００１２】
つぎの発明にかかる無線通信システムにおいて、前記通話履歴記録手段にあっては、前記通信端末から履歴検索要求を受け取った場合に、その要求内容に基づいて所望の通話履歴を検索し、その検索結果を前記通信端末に返送し、前記通信端末では、通話履歴として得られる通話内容を、音声または文字情報でユーザに知らせることを特徴とする。
【００１３】
つぎの発明にかかる無線通信システムにおいて、前記通信端末にあっては、グループ通話の開催中に、参加者、開催時間、および通話内容を含む通話履歴を随時保存し、グループ通話終了後、前記保存した通話履歴をサーバに登録する通話履歴管理手段（通話情報記録部１６に相当）を備えることを特徴とする。
【００１４】
つぎの発明にかかる無線通信システムにおいて、前記通話履歴記録手段にあっては、前記通信端末から複数のユーザが指定された履歴検索要求を受け取った場合に、その要求内容に基づいて所望の通話履歴を検索し、その検索結果を、前記複数のユーザが使用する通信端末に対して配信することを特徴とする。
【００１５】
つぎの発明にかかる無線通信システムにおいて、前記通話履歴記録手段にあっては、前記通信端末からの退会要求を受け取った場合に、引き続き他の通信端末間で行われているグループ通話の内容を前記通話履歴記録手段に記録し、グループ通話終了後、前記要求内容に基づいて所望の通話履歴を検索し、その検索結果を、前記退会要求送信元の通信端末に返送することを特徴とする。
【００１６】
つぎの発明にかかる無線通信システムにおいて、前記参加端末管理手段にあっては、前記参加を促した通信端末が着信不可の場合、電子メールにて開催通知を送信し、前記通信端末では、前記開催通知が電子メールの場合、前記グループ通話へ参加するための返信メールとして、電子メール以外の通常の開催通知を要求することを特徴とする。
【００１７】
つぎの発明にかかる無線通信システムにおいて、前記通信端末が返信メールを送信した時点で既にグループ通話が終了している場合、前記通話履歴記録手段では、前記返信メールに対応するグループ通話の通話履歴を、返信メール送信元の通信端末に送信し、前記通信端末では、通話履歴として得られる通話内容を、音声または文字情報でユーザに知らせることを特徴とする。
【００１８】
つぎの発明にかかる無線通信システムにおいて、前記参加端末管理手段にあっては、グループ通話の開催中に途中参加要求を受け取った場合、または、開催中のグループ通話からの退会要求を受け取った場合、その要求を送信した通信端末に関するユーザ情報を、現在参加中のすべて通信端末に対して送信し、前記すべての通信端末から返送される情報を集計することにより、参加または退会の可否を決定することを特徴とする。
【００１９】
つぎの発明にかかる無線通信システムにおいて、グループ通話からの退会を希望するユーザが使用する通信端末にあっては、現在開催中のグループ通話が重要である場合、サーバからのメッセージに基づいて、誤って切断されることのない特別な操作でグループ通話から退会することを特徴とする。
【００２０】
つぎの発明にかかる無線通信システムにおいて、グループ通話に参加するユーザが使用する通信端末にあっては、前記通信端末の任意のキー操作により、音声による入力と、文字による入力と、を切り替えて、通話を行うことを特徴とする。
【００２１】
つぎの発明にかかる無線通信システムにおいて、グループ通話に接続中の通信端末が不正に切断された場合、その通信端末は、サーバからの再接続要求を着信することで、再びグループ通話に接続されることを特徴とする。
【００２２】
つぎの発明にかかる無線通信システムにおいて、前記音声と文字のいずれの入力においてもグループ通話に参加できないユーザが使用する通信端末にあっては、受信のみのモードでグループ通話に参加することを特徴とする。
【００２３】
つぎの発明にかかるサーバにあっては、複数の通信端末が無線通信回線を介して接続され、さらに、いずれか１つの通信端末からのグループ通話開催要求を受け取り、その要求に記載されたすべての通信端末に対してグループ通話への参加を促す開催通知を送信し、その後、前記参加を促した各通信端末からの端末情報を受け取ることにより、前記グループ通話に参加するすべての通信端末を管理する参加端末管理手段と、前記グループ通話に参加する各通信端末からの通話データを合成し、その合成データを前記各通信端末に配信する通話データ合成／配信手段と、前記通話データを通話履歴として記録する通話履歴記録手段と、を備え、前記グループ通話の開催中に、いずれかの通信端末からグループ通話終了要求を受け取り、その後、前記グループ通話に関する終了履歴を記録した段階で、前記回線を切断することを特徴とする。
【００２４】
つぎの発明にかかるサーバにおいて、前記通話履歴記録手段にあっては、前記通信端末から履歴検索要求を受け取った場合に、その要求内容に基づいて所望の通話履歴を検索し、その検索結果を前記通信端末に返送することを特徴とする。
【００２５】
つぎの発明にかかるサーバにおいて、前記通話履歴記録手段にあっては、前記通信端末から複数のユーザが指定された履歴検索要求を受け取った場合に、その要求内容に基づいて所望の通話履歴を検索し、その検索結果を、前記複数のユーザが使用する通信端末に対して配信することを特徴とする。
【００２６】
つぎの発明にかかるサーバにおいて、前記通話履歴記録手段にあっては、前記通信端末からの退会要求を受け取った場合に、引き続き他の通信端末間で行われているグループ通話の内容を前記通話履歴記録手段に記録し、グループ通話終了後、前記要求内容に基づいて所望の通話履歴を検索し、その検索結果を、前記退会要求送信元の通信端末に返送することを特徴とする。
【００２７】
つぎの発明にかかるサーバにおいて、前記参加端末管理手段にあっては、前記参加を促した通信端末が着信不可の場合、電子メールにて開催通知を送信することを特徴とする。
【００２８】
つぎの発明にかかるサーバにおいて、前記通信端末からの返信メールを受け取った時点で既にグループ通話が終了している場合、前記通話履歴記録手段では、前記返信メールに対応するグループ通話の通話履歴を、返信メール送信元の通信端末に送信することを特徴とする。
【００２９】
つぎの発明にかかるサーバにおいて、前記参加端末管理手段にあっては、グループ通話の開催中に途中参加要求を受け取った場合、または、開催中のグループ通話からの退会要求を受け取った場合、その要求を送信した通信端末に関するユーザ情報を、現在参加中のすべて通信端末に対して送信し、前記すべての通信端末から返送される情報を集計することにより、参加または退会の可否を決定することを特徴とする。
【００３０】
つぎの発明にかかる通信端末にあっては、グループ通話における通信データの送受信を制御し、さらに、グループ通話の開催を希望する場合に、無線通信回線を介して接続されたサーバに対してグループ通話開催要求を送信する送受信制御手段と、前記サーバからの開催通知に応じてグループ通話へ参加する場合に、自端末情報を送信する自端末情報管理手段と、を備えることを特徴とする。
【００３１】
つぎの発明にかかる通信端末において、前記送受信制御手段にあっては、通話履歴を検索する場合に、前記サーバに対して履歴検索要求を送信し、その後、通話履歴として得られる通話内容を、音声または文字情報でユーザに知らせることを特徴とする。
【００３２】
つぎの発明にかかる通信端末にあっては、さらに、前記グループ通話の開催中に、参加者、開催時間、および通話内容を含む通話履歴を随時保存し、グループ通話終了後、前記保存した通話履歴をサーバに登録する通話履歴管理手段を備えることを特徴とする。
【００３３】
つぎの発明にかかる通信端末において、前記送受信制御手段にあっては、通話履歴の配信を希望する場合に、前記サーバに対して複数のユーザを指定した履歴検索要求を送信することを特徴とする。
【００３４】
つぎの発明にかかる通信端末において、前記送受信制御手段にあっては、前記グループ通話の退会を希望する場合に、前記サーバに対して退会要求を送信することを特徴とする。
【００３５】
つぎの発明にかかる通信端末において、前記送受信制御手段にあっては、前記サーバからの開催通知が電子メールの場合、前記グループ通話へ参加するための返信メールとして、電子メール以外の通常の開催通知を要求することを特徴とする。
【００３６】
つぎの発明にかかるグループ通話制御方法にあっては、複数の通信端末とサーバとが無線通信回線を介して接続され、さらに、前記サーバが、いずれか１つの通信端末からのグループ通話開催要求を受け取り、その要求に記載されたすべての通信端末に対してグループ通話への参加を促す開催通知を送信し、その後、前記参加を促した各通信端末からの端末情報を受け取ることにより、前記グループ通話に参加するすべての通信端末を管理する参加端末管理ステップと、前記グループ通話に参加する各通信端末からの通話データを合成し、その合成データを前記各通信端末に配信する通話データ配信ステップと、前記通話データを通話履歴として記録する通話履歴記録ステップと、前記グループ通話の開催中に、いずれかの通信端末からグループ通話終了要求を受け取り、その後、前記グループ通話に関する終了履歴を記録した段階で、前記回線を切断するグループ通話終了ステップと、を含むことを特徴とする。
【００３７】
つぎの発明にかかるグループ通話制御方法にあっては、前記サーバが、さらに、前記通信端末から履歴検索要求を受け取った場合に、その要求内容に基づいて所望の通話履歴を検索し、その検索結果を前記通信端末に返送する通信履歴検索ステップ、を含むことを特徴とする。
【００３８】
つぎの発明にかかるグループ通話制御方法にあっては、前記サーバが、さらに、前記通信端末から複数のユーザが指定された履歴検索要求を受け取った場合に、その要求内容に基づいて所望の通話履歴を検索し、その検索結果を、前記複数のユーザが使用する通信端末に対して配信する通信履歴配信ステップ、を含むことを特徴とする。
【００３９】
つぎの発明にかかるグループ通話制御方法にあっては、前記サーバが、さらに、前記通信端末からの退会要求を受け取った場合に、引き続き他の通信端末間で行われているグループ通話の内容を前記通話履歴記録ステップに記録し、グループ通話終了後、前記要求内容に基づいて所望の通話履歴を検索し、その検索結果を、前記退会要求送信元の通信端末に返送する通信履歴返送ステップ、を含むことを特徴とする。
【００４０】
つぎの発明にかかるグループ通話制御方法にあっては、前記サーバが、さらに、前記開催通知の送信処理で着信不可の通信端末に対して、電子メールにて、再度、開催通知を送信するメール開催通知送信ステップ、を含むことを特徴とする。
【００４１】
つぎの発明にかかるグループ通話制御方法にあっては、前記サーバが、さらに、前記通信端末からの返信メールを受け取った時点で既にグループ通話が終了している場合、前記返信メールに対応するグループ通話の通話履歴を、返信メール送信元の通信端末に対して送信することを特徴とする。
【００４２】
つぎの発明にかかるグループ通話制御方法にあっては、前記サーバが、さらに、グループ通話の開催中に途中参加要求を受け取った場合、または、開催中のグループ通話からの退会要求を受け取った場合に、その要求を送信した通信端末に関するユーザ情報を、現在参加中のすべて通信端末に対して送信し、前記すべての通信端末から返送される情報を集計することにより、参加または退会の可否を決定する参加／退会可否決定ステップ、を含むことを特徴とする。
【００４３】
【発明の実施の形態】
以下に、本発明にかかる無線通信システムおよび多人数通信方法の実施の形態を図面に基づいて詳細に説明する。なお、この実施の形態によりこの発明が限定されるものではない。
【００４４】
実施の形態１．
図１は、本発明にかかる無線通信システムの実施の形態１の構成を示す図である。図１において、２は複数のユーザによる同時通信を管理するサーバであり、１はサーバ２に無線接続される複数の通信端末である。なお、図１においては、説明の便宜上、通信端末を１つしか記載していないが、実際には複数個の通信端末が存在する。
【００４５】
また、図１の通信端末１において、１１はユーザからの入力情報を受け取る入力部であり、１２はユーザへの情報をディスプレイに表示する表示部であり、１３はユーザからの音声入力および通話相手への音声出力を制御する音声入出力部であり、１４は自通信端末の情報（たとえば、ユーザ名、プロフィールなど）を保持する自端末情報管理部であり、１５は通信データの送受信を制御する送受信部である。
【００４６】
また、図１のサーバ２において、２１は通信データの送受信を制御する送受信部であり、２２はグループ通話に参加しているすべての通信端末を管理する参加端末管理部であり、２３は前記各通信端末から受け取った通話データを合成する通信データ合成部であり、２４は、グループ通話に関する履歴情報の検索や登録を行う通話履歴管理部である。また、２５はサーバ２の外部に配置され、前記グループ通話に関する履歴情報を保存する通話履歴保存部である。なお、この通話履歴保存部２５は、サーバ２内に配置する構成としてもよい。また、通話履歴保存部２５には、グループ通話に関する履歴情報として、たとえば、グループ通話名、開催者名、参加者名、会議開始／終了日時、キーワード、および通話内容、等が保存される。
【００４７】
つぎに、本発明にかかる無線通信システムに動作について説明する。図２は、サーバ２の動作を示すフローチャートである。まず、サーバ２では、無線接続された通信端末からのグループ通話の開催要求を待つ（ステップＳ１）。この状態で、グループ通話の開催を希望する通信端末から、メンバおよび会議名が指定されたグループ通話開催要求を受け取ると（ステップＳ２）、サーバ２では、その要求から、指定されたメンバに関する情報を抽出し（ステップＳ３）、抽出されたメンバに対応するすべての通信端末に対して、発呼処理を行い、その会議への参加を促す（ステップＳ４）。すなわち、グループ通話の開催通知を送信する。
【００４８】
その後、参加を促した各通信端末がグループ通話（会議）に参加し、それらの通信端末から個々に通信データを受け取ると（ステップＳ５）、サーバ２では、それらの通信データの中から各通信端末の端末情報（たとえば、ユーザ名、プロフィール等）を抽出する。そして、サーバ２内部では、参加端末管理部２２が、各端末を管理するために登録処理を行い（ステップＳ６）、データ合成部２３が、そのグループ通話に参加した各通信端末からの通話データを合成し（ステップＳ７）、その後、合成データを各通信端末に配信する（ステップＳ８）。このとき、通話履歴管理部２４では、その通話データを通話履歴として通話履歴保存部２５に保存する（ステップＳ９）。
【００４９】
そして、サーバ２では、グループ通話を開催している間中（ステップＳ１０、Ｎｏ）、ステップＳ７〜Ｓ１０の処理を繰り返し実行し、いずれかの通信端末からグループ通話終了要求を受け取った段階で（ステップＳ１０，Ｙｅｓ）、通話履歴管理部２４が、通話履歴保存部２５に対してグループ通話に関する終了履歴を書き込み、回線を切断する（ステップＳ１１）。
【００５０】
一方、図３は、通信端末１の動作を示すフローチャートである。なお、ここでは、通信端末１の動作について説明するが、この動作は、グループ通話に参加するすべての通信端末に共通する。まず、サーバ２が各通信端末に対してグループ通話の開催を促した場合、受信待ち（ステップＳ２１）の通信端末１は、サーバ２からのグループ通話開催通知を受け取る（ステップＳ２２）。そして、そのグループ通話に参加しない場合（ステップＳ２３，Ｎｏ）、再度、受信待ち状態に入る。一方、グループ通話へ参加を希望する場合（ステップＳ２３，Ｙｅｓ）、通信端末１では、通話ボタンを押すなどの操作により着信処理を行い、自通信端末の端末情報を送信し（ステップＳ２４）、その後、グループ通話に参加する（ステップＳ２５）。
【００５１】
また、グループ通話を終了したい場合、通信端末１では、グループ通話終了要求を送信し（ステップＳ２６）、その後、グループ通話を終了する（ステップＳ２７）。
【００５２】
なお、通話履歴を検索したい場合（図４参照）、通信端末１では、サーバ２に対して履歴検索要求を送信する（ステップＳ３１）。これを受けて、サーバ２内では、通話履歴管理部２４が、前記履歴検索要求の内容に基づいて、通話履歴保存部２５から所望の履歴を検索し（ステップＳ３２）、その検索結果を通信端末１に送付する（ステップＳ３３）。履歴検索要求の送信方法としては、以下の２つの方法が考えられる。たとえば、通信端末１がメールで検索内容をサーバ２に対して送信し、その後、サーバ２からの返信メールで前記検索結果を受け取る。または、サーバ２が提供する履歴内容のメニューから検索に関する情報を選択することで、前記検索結果を受け取る。
【００５３】
また、通信端末１では、通話履歴情報として得られる通話内容を、たとえば、音声入出力部１３による音声によって、または表示部１２による文字情報によって、取得することができる。
【００５４】
このように、本実施の形態においては、サーバ２および通信端末が上記に示す処理を行うことで、無線通信によるグループ通話、およびそのグループ通話への参加および終了の容易化、を実現することができる。また、本実施の形態においては、サーバ２が、グループ通話の参加端末に関する情報、および通話履歴に関する情報（通話内容等）を管理することにより、通信端末１に対して、それらの情報を利用したサービスの提供が可能となる。一方、通信端末１では、容易にグループ通話の通話履歴に関する情報を自由に指定し、その内容（音声、文字情報等）を容易に取得することができる。
【００５５】
実施の形態２．
前述の実施の形態１は、サーバ２が自動的にグループ通話の内容を通話履歴として保存するものであるが、本実施の形態においては、実施の形態１の機能に加えて、さらに、通信端末が独自に通話内容を保存し、その通話内容をサーバに登録する。
【００５６】
図５は、本発明にかかる無線通信システムの実施の形態２の構成を示す図である。図５において、１ａは通信端末であり、１６はグループ通話の通話記録をサーバ２に登録する通話情報記録部であり、ここでは、実施の形態１の通信端末１に構成に通話情報記録部１６を追加する。具体的にいうと（図６参照）、通話情報記録部１６では、グループ通話中（ステップＳ４１）の通話記録として、たとえば、参加者、開催時間、および通話内容を、随時保存し（ステップＳ４２、ステップＳ４３，Ｎｏ）、さらに、グループ通話終了後（ステップＳ４３，Ｙｅｓ）、入力部１１からの通話履歴送信操作で、保存した通話記録をサーバ２に登録する（ステップＳ４４）。なお、本実施の形態において、前述の実施の形態１と同様の構成については、同一の符号を付して説明を省略する。また、図５においては、説明の便宜上、通信端末を１つしか記載していないが、実際には複数個の通信端末が存在する。
【００５７】
このように、本実施の形態においては、通信端末１ａにおける通話情報を通話情報記録部１６に保存し、さらに、グループ通話が終了した段階で、その内容をサーバ２に登録する。これにより、実施の形態１においてサーバ２が行っていた処理の一部を通信端末１ａが負担しているため、サーバ２の負荷を低減させることができ、さらに、通話情報記録部１６の処理で必要な通話情報だけを効率的に保存することができる。
【００５８】
実施の形態３．
前述の実施の形態１は、サーバ２が、履歴検索要求を送信した通信端末１に対して、通話履歴を返信するものであるが、本実施の形態においては、実施の形態１または２の機能に加えて、さらに、ユーザが指定したすべての通信端末に対して通話履歴を配布する。なお、本実施の形態の構成については、前述の実施の形態１または２と同様の構成を用いる。
【００５９】
以下、本実施の形態の動作について説明する。図７は、実施の形態３の通話履歴検索方法を示すフローチャートである。たとえば、通信端末１（または１ａ）では、開催中のグループ通話の通話履歴を複数の通信端末に対して送付したい場合、その複数の通信端末を指定した履歴検索要求を送信する（ステップＳ５１）。これを受けて、サーバ２内では、通話履歴管理部２４が、通話履歴保存部２５から所望の通話履歴を検索し（ステップＳ５２）、その検索結果を指定された複数の通信端末に対して配信する（ステップＳ５３）。通話履歴を配信すべき通信端末の指定方法としては、たとえば、予め通信端末１のメモリ内に配信可能な複数の通信端末をグループ登録しておき、その中から必要に応じて選択する。
【００６０】
このように、本実施の形態においては、サーバ２が、通信端末１（または１ａ）により指定された複数の通信端末に対して、通話履歴を配布する。これにより、グループ通話に参加できなかったユーザ（通信端末）に対しても、通話内容を報告することができ、さらに、保存しておいた通話履歴を効果的に利用することができる。
【００６１】
実施の形態４．
前述の実施の形態１は、通信端末１（または１ａ）がサーバ２へ履歴検索要求を送信することによって、通話履歴を取得するものであるが、本実施の形態においては、実施の形態１〜３の機能に加えて、さらに、通信端末１がグループ通話から退会する場合にも、そのグループ通話に対する履歴検索要求を自動的に送信する。なお、本実施の形態の構成については、前述の実施の形態１または２と同様の構成を用いる。
【００６２】
以下、本実施の形態の動作について説明する。図８は、実施の形態４の通話履歴検索方法を示すフローチャートである。たとえば、通信端末１（または１ａ）では、参加しているグループ通話から退会を希望する場合、入力部１１のキー操作によりサーバ２に対して退会要求を送信する（ステップＳ５１）。これを受けて、サーバ２内では、通話履歴管理部２４が、引き続き他の通信端末間で行われているグループ通話の内容を通話履歴保存部２５に保存し（ステップＳ５２）、グループ通話終了後、前記退会要求の内容に基づいて通話履歴保存部２５から所望の通信履歴を検索し（ステップＳ５３）、その検索結果を退会要求元の通信端末に対して送信する（ステップＳ５４）。
【００６３】
このように、本実施の形態においては、サーバ２が、グループ通話に参加するいずれかの通信端末が退会した場合においても、引き続き、他の通信端末間で行われているグループ通話の内容を保存する。これにより、グループ通話を途中で退会した場合においても、退会後に最終的な通話内容を知ることができる。
【００６４】
実施の形態５．
前述の実施の形態１〜４は、サーバ２からの開催通知を受けた通信端末が、着信してグループ通話に参加するものであるが、本実施の形態においては、実施の形態１〜４の機能に加えて、さらに、通信端末が電源ＯＦＦ時、圏外、またはユーザ不在、等で着信不可であった場合の対処方法を記載する。なお、本実施の形態の構成については、前述の実施の形態１または２と同様の構成を用いる。
【００６５】
以下、本実施の形態の動作について説明する。図９は、サーバ２の動作を示すフローチャートである。なお、前述した実施の形態１の図２と同様の動作については、同一の符号を付して説明を省略する。たとえば、サーバ２は、グループ通話の開催を希望する通信端末からグループ通話開催要求を受け取ると（ステップＳ２）、所定の手順で参加メンバに対して発呼処理を行う（ステップＳ４）。
【００６６】
このとき、開催通知を送信した通信端末が着信した場合（ステップＳ６１，Ｙｅｓ）、サーバ２は、実施の形態１と同様に動作する。一方、通信端末が電源ＯＦＦ時、圏外、またはユーザ不在、等の理由で、呼び出しを行っても着信しない通信端末に対して（ステップＳ６１，Ｎｏ）、サーバ２は、その呼び出しを中止し、代わりに電子メールで開催通知を送信する（ステップＳ６２）。なお、以降の動作については、実施の形態１と同様に動作する。
【００６７】
図１０は、通信端末１（または１ａ）の動作を示すフローチャートである。なお、前述した実施の形態１の図３と同様の動作については、同一の符号を付して説明を省略する。たとえば、サーバ２からの通知が通常の開催通知（電子メール以外）の場合（ステップＳ７１，Ｎｏ）、通信端末１は、実施の形態１と同様に動作する。一方、サーバ２からの通知が電子メールの場合（ステップＳ７１，Ｙｅｓ）、通信端末１は、サーバ２に対して電子メールで返信し（ステップＳ７２）、再び受信待ちとなる。
【００６８】
この状態で、メールを受信したサーバ２からの通常の開催通知を再度受け取り、以降、実施の形態１と同様に動作し、グループ通話に参加する。これにより、グループ通話への途中参加が可能になる。
【００６９】
このように、本実施の形態においては、サーバ２が、電源ＯＦＦ時、圏外、またはユーザ不在、等の理由で、着信できない通信端末に対して、自動的に電子メールでグループ通話開催通知を送信する。これにより、通信端末にて必ず開催通知を受けることが可能となるため、たとえば、グループ通話が終了していなければ、途中からそのグループ通話に参加することができるようになる。
【００７０】
実施の形態６．
前述の実施の形態５は、通信端末がグループ通話へ途中参加するものであるが、本実施の形態においては、実施の形態１〜５の機能に加えて、さらに、通信端末が電子メールによる開催通知を確認し、そのグループ通話への参加要求を送信した時点で、既にグループ通話が終了している場合の対処方法を記載する。なお、本実施の形態の構成については、前述の実施の形態１または２と同様の構成を用いる。
【００７１】
以下、本実施の形態の動作について説明する。図１１は、サーバ２の動作を示す実施の形態６のフローチャートである。なお、前述した実施の形態５の図１０と同様の動作については、同一の符号を付して説明を省略する。たとえば、通信端末１（または１ａ）は、サーバ２から電子メールによるグループ通話の開催通知を受け取った場合、グループ通話に途中参加をするために、返信メール（参加要求）をサーバ２に対して送信する。
【００７２】
しかしながら、既にグループ通話が終了しているような場合（ステップＳ８５、ステップＳ８６，Ｙｅｓ）、サーバ２では、通話履歴保存部２５から、前記返信メールに対応するグループ通話の通話履歴を取り出し、その通話履歴を返信メール送信元の通信端末に対して送信する（ステップＳ８８）。なお、ステップ８６の処理で、グループ通話が開催中の場合（ステップＳ８６，Ｎｏ）、サーバ２では、通常の開催通知を送信する（ステップＳ８７）。
【００７３】
このように、本実施の形態においては、電子メールによる開催通知を確認した時点で既にグループ通話が終了していた場合においても、代わりに通話履歴を取得するため、グループ通話の内容を知ることができる。
【００７４】
実施の形態７．
前述の実施の形態５，６は、通信端末１（または１ａ）が、容易にグループ通話に参加することが可能であるが、本実施の形態においては、実施の形態１〜６の機能に加えて、さらに、参加メンバを限定したグループ通話を実現する。なお、本実施の形態の構成については、前述の実施の形態１または２と同様の構成を用いる。
【００７５】
以下、本実施の形態の動作について説明する。図１２は、サーバ２の動作を示す実施の形態７のフローチャートである。たとえば、グループ通話の開催中に、通信端末１からの参加要求を受け取ったサーバ２では（ステップＳ９１）、現在、グループ通話に参加している他のメンバが使用する通信端末に対して、新たに参加を希望している通信端末１のユーザ情報を配信し、その上で、参加の可／不可を問う（ステップＳ９２）。
【００７６】
他のメンバが使用する通信端末では、サーバ２から配信された通信端末１のユーザ情報を受け取った場合、音声入出力部１３または表示部１２を用いて、それぞれのメンバにユーザ情報を通知し、参加の可否の入力を待つ。その後、各通信端末では、それぞれの入力結果をサーバ２に対して返送する。
【００７７】
すべてのメンバの通信端末から入力結果を受け取ったサーバ２では（ステップＳ９３，Ｙｅｓ）、各メンバの入力結果を集計して新たなメンバの参加の可否を正式に決定し（ステップＳ９４）、さらに、その決定結果をグループ通話に参加中の各メンバに報告する（ステップＳ９５）。なお、参加の可否を決定する方法としては、たとえば、参加メンバの多数決による決定や、ある１人の主導者による決定等、様々な方法が挙げられる。また、グループ通話からの退会時においても、新規参加の場合と同様の手順で、退会要求を受け取ったサーバ２が、退会を希望している通信端末のユーザ情報を他のメンバに配信し、各通信端末からの可否の返信を集計し、その後、退会の可否を正式に決定する。
【００７８】
このように、本実施の形態においては、サーバ２が、グループ通話開催中に新たな参加要求を受け取った場合に、他の参加メンバに対して、参加を希望しているユーザに関するユーザ情報を配信し、参加の可否を問う。これにより、重要なグループ通話に対して参加メンバを限定することできるため、機密性を向上させることができる。また、グループ通話開催中の退会時においても、他のすべての参加メンバが、退会希望者を把握できるため、たとえば、重要なメンバの退会を防ぐことができる。
【００７９】
実施の形態８．
本実施の形態においては、実施の形態１〜７の機能に加えて、さらに、グループ通話に参加しているメンバ（通信端末）の退会時の操作を規定する。なお、本実施の形態の構成については、前述の実施の形態１または２と同様の構成を用いる。
【００８０】
まず、サーバ２では、現在開催中のグループ通話が、重要か、または重要でない（以降、通常のグループ通話と呼ぶ）か、を予め把握しておく。この状態で、たとえば、通常のグループ通話からの退会を希望する場合、その通信端末は、サーバ２の指示によらず、たとえば、入力部１１の切断キーや電源OFFキーの操作により、開催中のグループ通話から退会する。
【００８１】
一方、重要なグループ通話からの退会を希望する場合、その通信端末は、上記と同様の操作では退会できず、サーバ２からのメッセージに基づいて、切断キーの長押し等、上記操作とは異なる操作で、開催中のグループ通話から退会する。
【００８２】
このように、本実施の形態においては、上記のように退会時の操作を規定し、重要なグループ通話の退会を特別な操作で行うことにより、たとえば、誤ったキー操作による重要なグループ通話からの退会を防ぐことができる。
【００８３】
実施の形態９．
本実施の形態においては、実施の形態１〜８の機能に加えて、さらに、グループ通話における様々な入力方法について規定する。具体的にいうと、音声および文字入力によるグループ通話について規定する。なお、本実施の形態の構成については、前述の実施の形態１または２と同様の構成を用いる。
【００８４】
たとえば、通信端末１は、通常、音声入出力部１３を用いた音声通話により、グループ通話に参加する。しかしながら、使用環境により、音声によるグループ通話が行えない場合がある。そこで、本実施の形態においては、上記音声によるグループ通話のほかに、たとえば、入力部１１を用いた文字入力でグループ通話に参加できるようにする。具体的にいうと、通信端末１は、任意のキー操作により、音声入力モードと文字入力モードとを切り替え可能とする。
【００８５】
文字入力モードで動作する通信端末１が存在する場合、サーバ２では、その通信端末１から受け取った文字情報の音声読み上げ処理を行い、通信データ合成部２３にて、他の通信端末からの音声データと合成する。そして、サーバ２では、その合成データをグループ通話に参加しているすべての通信端末に対して配信する。
【００８６】
このように、本実施の形態においては、音声入力モード、または文字入力モードによるグループ通話への参加を可能とすることにより、様々な使用環境でのグループ通話が可能となる。
【００８７】
実施の形態１０．
本実施の形態においては、グループ通話に参加している通信端末が、不正に通話が切断されてしまった場合の再接続方法について記載する。なお、本実施の形態の構成については、前述の実施の形態１または２と同様の構成を用いる。
【００８８】
たとえば、通信圏外への移動、または電源ＯＦＦキーの誤操作により、グループ通話に参加している通信端末１が不正に切断されてしまった場合、サーバ２では、通信端末１に対して、グループ通話への再接続要求を送信する。
【００８９】
通信端末１では、サーバ２からの再接続要求に着信することでグループ通話に再接続することができる。なお、再接続要求に対して着信しない場合には、サーバ２は、その通信端末に対して、電子メールによる再接続要求を送信する。
【００９０】
このように、本実施の形態においては、グループ通話を参加している最中に、ある通信端末が誤って切断された場合においても、サーバ２が、再接続要求を送信するため、不正に切断された通信端末が、容易にグループ通話に再接続することが可能となる。
【００９１】
実施の形態１１．
本実施の形態においては、通信端末が、音声入力モードと文字入力モードのいずれのモードにおいてもグループ通話に参加できない場合の、参加方法を規定する。なお、本実施の形態の構成については、前述の実施の形態１または２と同様の構成を用いる。
【００９２】
たとえば、通信端末１では、使用環境により、音声入力および文字入力ができない場合、受信モードでグループ通話に参加する。このとき、通信端末１は、たとえば、留守番機能に通話内容を保存する。また、通信端末１が電子メールによる受信を要求した場合、サーバ２では、通話内容を文字情報に変換し、その後、電子メールで送信する。
【００９３】
このように、本実施の形態においては、通信端末１が、音声や文字による受信モードでグループ通話に参加することにより、送信不可能な場合においても、グループ通話の内容を確認することができる。
【００９４】
【発明の効果】
以上、説明したとおり、本発明によれば、無線通信回線を介して、サーバおよび通信端末が、グループ通話開催要求、またはグループ通話終了要求の送受信を行うことにより、そのグループ通話への参加、またはグループ通話の終了にかかる処理の容易化を実現することが可能な無線通信システムを得ることができる、という効果を奏する。
【００９５】
つぎの発明によれば、サーバがグループ通話の参加端末に関する情報、および通話履歴に関する情報（通話内容等）を管理することにより、通信端末に対してそれらの情報を利用したサービスを提供可能な無線通信システムを得ることができる、という効果を奏する。また、グループ通話の通話履歴に関する情報を自由に指定し、その内容（音声、文字情報等）を容易に取得することが可能な無線通信システムを得ることができる、という効果を奏する。
【００９６】
つぎの発明によれば、グループ通話に参加している通信端末が通話情報を保存し、さらに、グループ通話が終了した段階で、その内容をサーバに登録する。これにより、サーバが行っていた処理の一部を通信端末が負担しているため、サーバの負荷を低減させることができ、さらに、通信端末の処理で必要な通話情報だけを効率的に保存することが可能な無線通信システムを得ることができる、という効果を奏する。
【００９７】
つぎの発明によれば、サーバが、履歴検索要求により指定された複数の通信端末に対して、通話履歴を配布する。これにより、グループ通話に参加できなかったユーザ（通信端末）に対しても、通話内容を報告することができ、さらに、保存しておいた通話履歴を効果的に利用することが可能な無線通信システムを得ることができる、という効果を奏する。
【００９８】
つぎの発明によれば、サーバが、グループ通話に参加するいずれかの通信端末が退会した場合においても、引き続き、他の通信端末間で行われているグループ通話の内容を保存する。これにより、グループ通話を途中で退会した場合においても、退会後に最終的な通話内容を知ることが可能な無線通信システムを得ることができる、という効果を奏する。
【００９９】
つぎの発明によれば、サーバが、電源ＯＦＦ時、圏外、またはユーザ不在、等の理由で、着信できない通信端末に対して、自動的に電子メールでグループ通話開催通知を送信する。これにより、通信端末にて必ず開催通知を受けることが可能となるため、たとえば、グループ通話が終了していなければ、途中からそのグループ通話に参加することが可能な無線通信システムを得ることができる、という効果を奏する。
【０１００】
つぎの発明によれば、電子メールによる開催通知を確認した時点で既にグループ通話が終了していた場合においても、代わりに通話履歴を取得するため、グループ通話の内容を知ることが可能な無線通信システムを得ることができる、という効果を奏する。
【０１０１】
つぎの発明によれば、サーバが、グループ通話開催中に新たな参加要求を受け取った場合に、他の参加メンバに対して、参加を希望しているユーザに関するユーザ情報を配信し、参加の可否を問う。これにより、重要なグループ通話に対して参加メンバを限定することできるため、機密性を向上させることが可能な無線通信システムを得ることができる、という効果を奏する。また、グループ通話開催中の退会時においても、他のすべての参加メンバが、退会希望者を把握できるため、たとえば、重要なメンバの退会を防ぐことが可能な無線通信システムを得ることができる、という効果を奏する。
【０１０２】
つぎの発明によれば、退会時の操作を規定し、重要なグループ通話の退会を特別な操作で行うことにより、たとえば、誤ったキー操作による重要なグループ通話からの退会を防ぐことが可能な無線通信システムを得ることができる、という効果を奏する。
【０１０３】
つぎの発明によれば、音声入力モード、または文字入力モードによるグループ通話への参加を可能とすることにより、様々な使用環境に対応可能な無線通信システムを得ることができる、という効果を奏する。
【０１０４】
つぎの発明によれば、グループ通話を参加している最中に、ある通信端末が誤って切断された場合においても、サーバが、再接続要求を送信するため、不正に切断された通信端末が、容易にグループ通話に再接続することが可能な無線通信システムを得ることができる、という効果を奏する。
【０１０５】
つぎの発明によれば、受信モードでグループ通話に参加することにより、通信端末が送信不可能な場合においても、グループ通話の内容を確認することが可能な無線通信システムを得ることができる、という効果を奏する。
【０１０６】
つぎの発明によれば、無線通信回線を介して、グループ通話開催要求、またはグループ通話終了要求を受け取ることにより、グループ通話への参加、またはグループ通話の終了にかかる処理の容易化を実現することが可能なサーバを得ることができる、という効果を奏する。
【０１０７】
つぎの発明によれば、グループ通話の参加端末に関する情報、および通話履歴に関する情報（通話内容等）を管理することにより、通信端末に対してそれらの情報を利用したサービスを提供可能なサーバを得ることができる、という効果を奏する。
【０１０８】
つぎの発明によれば、サーバが、履歴検索要求により指定された複数の通信端末に対して、通話履歴を配布する。これにより、グループ通話に参加できなかったユーザ（通信端末）に対しても、通話内容を報告することができ、さらに、保存しておいた通話履歴を効果的に利用することが可能なサーバを得ることができる、という効果を奏する。
【０１０９】
つぎの発明によれば、サーバが、グループ通話に参加するいずれかの通信端末が退会した場合においても、引き続き、他の通信端末間で行われているグループ通話の内容を保存する。これにより、グループ通話を途中で退会した通信端末に対して、最終的な通話内容を提供可能なサーバを得ることができる、という効果を奏する。
【０１１０】
つぎの発明によれば、サーバが、電源ＯＦＦ時、圏外、またはユーザ不在、等の理由で、着信できない通信端末に対して、自動的に電子メールでグループ通話開催通知を送信する。これにより、通常の開催通知を受信できない通信端末に対して、電子メールによる開催通知を提供可能なサーバを得ることができる、という効果を奏する。
【０１１１】
つぎの発明によれば、返信メールを受け取った時点で既にグループ通話が終了していた場合においても、代わりに通話履歴を提供可能なサーバを得ることができる、という効果を奏する。
【０１１２】
つぎの発明によれば、サーバが、グループ通話開催中に新たな参加要求を受け取った場合に、他の参加メンバに対して、参加を希望しているユーザに関するユーザ情報を配信し、参加の可否を問う。これにより、重要なグループ通話に対して参加メンバを限定することできるため、機密性を向上させることが可能なサーバを得ることができる、という効果を奏する。また、グループ通話開催中の退会時においても、他のすべての参加メンバが、退会希望者を把握できるため、たとえば、重要なメンバの退会を防ぐことが可能なサーバを得ることができる、という効果を奏する。
【０１１３】
つぎの発明によれば、無線通信回線を介して、通信端末が、グループ通話開催要求、またはグループ通話終了要求の送信を行うことにより、そのグループ通話への参加、またはグループ通話の終了にかかる処理の容易化を実現することが可能な通信端末を得ることができる、という効果を奏する。
【０１１４】
つぎの発明によれば、グループ通話の通話履歴に関する情報を自由に指定し、その内容（音声、文字情報等）を容易に取得することが可能な通信端末を得ることができる、という効果を奏する。
【０１１５】
つぎの発明によれば、グループ通話に参加している通信端末が、通話情報を保存し、さらに、グループ通話が終了した段階で、その内容をサーバに登録する。これにより、サーバが行っていた処理の一部を負担することとなり、サーバの負荷を低減させることが可能な通信端末を得ることができる、という効果を奏する。
【０１１６】
つぎの発明によれば、グループ通話に参加できなかったユーザ（通信端末）に対しても、通話内容を報告させることが可能な通信端末を得ることができる、という効果を奏する。
【０１１７】
つぎの発明によれば、グループ通話を途中で退会した場合においても、退会後に最終的な通話内容を知ることが可能な通信端末を得ることができる、という効果を奏する。
【０１１８】
つぎの発明によれば、通信端末にて必ず開催通知を受けることが可能となるため、たとえば、グループ通話が終了していなければ、途中からそのグループ通話に参加することが可能な通信端末を得ることができる、という効果を奏する。
【０１１９】
つぎの発明によれば、無線通信回線を介して、グループ通話開催要求、またはグループ通話終了要求を受け取ることにより、グループ通話への参加、またはグループ通話の終了にかかる処理の容易化を実現することが可能なグループ通話制御方法を得ることができる、という効果を奏する。
【０１２０】
つぎの発明によれば、グループ通話の参加端末に関する情報、および通話履歴に関する情報（通話内容等）を管理することにより、通信端末に対してそれらの情報を利用したサービスを提供可能なグループ通話制御方法を得ることができる、という効果を奏する。
【０１２１】
つぎの発明によれば、サーバが、履歴検索要求により指定された複数の通信端末に対して、通話履歴を配布する。これにより、グループ通話に参加できなかったユーザ（通信端末）に対しても、通話内容を報告することができ、さらに、保存しておいた通話履歴を効果的に利用することが可能なグループ通話制御方法を得ることができる、という効果を奏する。
【０１２２】
つぎの発明によれば、サーバが、グループ通話に参加するいずれかの通信端末が退会した場合においても、引き続き、他の通信端末間で行われているグループ通話の内容を保存する。これにより、グループ通話を途中で退会した通信端末に対して、最終的な通話内容を提供可能なグループ通話制御方法を得ることができる、という効果を奏する。
【０１２３】
つぎの発明によれば、サーバが、電源ＯＦＦ時、圏外、またはユーザ不在、等の理由で、着信できない通信端末に対して、自動的に電子メールでグループ通話開催通知を送信する。これにより、通常の開催通知を受信できない通信端末に対して、電子メールによる開催通知を提供可能なグループ通話制御方法を得ることができる、という効果を奏する。
【０１２４】
つぎの発明によれば、返信メールを受け取った時点で既にグループ通話が終了していた場合においても、代わりに通話履歴を提供可能なグループ通話制御方法を得ることができる、という効果を奏する。
【０１２５】
つぎの発明によれば、サーバが、グループ通話開催中に新たな参加要求を受け取った場合に、他の参加メンバに対して、参加を希望しているユーザに関するユーザ情報を配信し、参加の可否を問う。これにより、重要なグループ通話に対して参加メンバを限定することできるため、機密性を向上させることが可能なグループ通話制御方法を得ることができる、という効果を奏する。また、グループ通話開催中の退会時においても、他のすべての参加メンバが、退会希望者を把握できるため、たとえば、重要なメンバの退会を防ぐことが可能なグループ通話制御方法を得ることができる、という効果を奏する。
【図面の簡単な説明】
【図１】  本発明にかかる無線通信システムの実施の形態１の構成を示す図である。
【図２】  サーバ２の動作を示す実施の形態１のフローチャートである。
【図３】  通信端末１の動作を示す実施の形態１のフローチャートである。
【図４】  実施の形態１の通話履歴検索方法を示すフローチャートである。
【図５】  本発明にかかる無線通信システムの実施の形態２の構成を示す図である。
【図６】  通信端末１ａによる通話記録登録方法を示すフローチャートである。
【図７】  実施の形態３の通話履歴検索方法を示すフローチャートである。
【図８】  実施の形態４の通話履歴検索方法を示すフローチャートである。
【図９】  サーバ２の動作を示す実施の形態５のフローチャートである。
【図１０】  通信端末の動作を示す実施の形態５のフローチャートである。
【図１１】  サーバ２の動作を示す実施の形態６のフローチャートである。
【図１２】  サーバ２の動作を示す実施の形態７のフローチャートである。
【図１３】  従来の通信システムの構成を示す図である。
【符号の説明】
１  通信端末、２  サーバ、１１  入力部、１２  表示部、１３  音声入出力部、１４  自端末情報管理部、１５  送受信部、１６  通話情報記録部、２１  送受信部、２２  参加端末管理部、２３  通信データ合成部、２４  通信履歴管理部、２５  通話履歴保存部。
【図１】
0003889541.tif 000002
【図２】
0003889541.tif 000003
【図３】
0003889541.tif 000004
【図４】
0003889541.tif 000005
【図５】
0003889541.tif 000006
【図６】
0003889541.tif 000007
【図７】
0003889541.tif 000008
【図８】
0003889541.tif 000009
【図９】
0003889541.tif 000010
【図１０】
0003889541.tif 000011
【図１１】
0003889541.tif 000012
【図１２】
0003889541.tif 000013
【図１３】
0003889541.tif 000014